(57)【要約】【課題】田畑や庭に生える雑草を根と共に効率良く引き抜くことができ、機構が簡単で家庭でも手軽に使用することができ、さらに、除草機や作物収穫機等の装置の一部としても使用できる装置を提供する。【解決手段】連結棒に複数枚の櫛刃が櫛状に並設された第１の櫛体と同一構成された第２の櫛体を重置して１つの櫛刃ユニットを形成し、複数の前記櫛刃ユニットの両端を一対の回転板の回転中心の同一円上に固着して櫛刃ユニット回転体を形成し、前記第１の櫛体および／または前記第２の櫛体の連結棒を長手方向に付勢して前記回転板の外側に突出片を突出させ、前記櫛刃ユニット回転体の回転に伴って前記回転板の外側に位置するガイド板により前記突出片が押圧されて前記櫛刃同士が互いに当接または接近して生えている草を挟持し、前記回転板のさらなる回転に伴って挟持した草を引き抜くように構成した。【選択図】図１
2011050275.tif 000002
【特許請求の範囲】
【請求項１】
連結棒に複数枚の櫛刃が櫛状に並設された第１の櫛体と同一構成された第２の櫛体とが重置されて１つの櫛刃ユニットが形成され、
複数の前記櫛刃ユニットの両端が一対の回転板の回転中心の同一同心円上に固着されて櫛刃ユニット回転体が形成され、
前記第１の櫛体および／または前記第２の櫛体の連結棒が長手方向に付勢されてその一端が前記回転板から突出して突出片が形成され、
前記櫛刃ユニット回転体の回転に伴って前記回転板の外側に位置するガイド板により前記突出片が押圧されて付勢方向と反対方向に摺動し、前記第１の櫛体と第２の櫛体とに並設された前記櫛刃同士が互いに当接または接近して生えている草を挟持し、
前記回転板のさらなる回転に伴って挟持した草が引き抜かれる、ことを特徴とする草引き抜き装置。
【請求項２】
前記突出片が当接する前記ガイド板の面は凹凸状に形成され、前記櫛刃ユニット回転体の回転に伴って前記第１の櫛体および前記第２の櫛体の櫛刃同士は略最下位置で当接または最接近し、略最上位置で離間開始する、ことを特徴とする請求項１に記載の草引き抜き装置。
【請求項３】
前記第１の櫛体および前記第２の櫛体はいずれも可動刃であってそれぞれ長手反対方向に付勢されて前記突出片が一対の前記回転板の反対方向にそれぞれ突出している、ことを特徴とする請求項１または請求項２に記載の草引き抜き装置。
【請求項４】
前記第１の櫛体および前記第２の櫛体のいずれか一方は固定刃である、ことを特徴とする請求項１または請求項２に記載の草引き抜き装置。
【請求項５】
前記回転板の回転軸は前記ガイド板を遊貫し、該ガイド板の外側で回転手段に連結している、ことを特徴とする請求項１ないし請求項４のいずれかに記載の草引き抜き装置。
【請求項６】
前記第１の櫛体および前記第２の櫛体の櫛刃は前記櫛刃ユニット回転体の回転中心から放射方向に延伸し、さらにその先端は放射方向に対して直交方向に曲折し、曲折部分の櫛刃同士が互いに当接または接近する、ことを特徴とする請求項１ないし請求項５のいずれかに記載の草引き抜き装置。
【請求項７】
前記ガイド板は前記回転板方向にスライド可能であるとともに該回転板の回転方向にスライド可能であって、
該回転板方向のスライドにより該ガイド板の前記突出片に対する押圧力の調整が可能であり、
該回転板の回転方向のスライドにより前記第１の櫛体および前記第２の櫛体の櫛刃同士の当接または最接近位置、および離間開始位置の調整が可能である、ことを特徴とする請求項１ないし請求項６のいずれかに記載の草引き抜き装置。
【請求項８】
前記櫛刃ユニットは前記回転板の回転中心方向にスライド可能であって、スライドにより地面に対する該櫛刃ユニットの櫛刃の離間距離の調整が可能である、ことを特徴とする請求項１ないし請求項７のいずれかに記載の草引き抜き装置。
【請求項９】
前記第１の櫛体および前記第２の櫛体の櫛刃の当接または接近部分には凹凸模様の滑り止めが刻設され、または滑り止め板が添設されている、ことを特徴とする請求項１ないし請求項８のいずれかに記載の草引き抜き装置。
【請求項１０】
一対の前記回転板の周縁には回転方向前方に沿って片刃を有する帯板状の回転体覆板が架設され、前記櫛刃ユニットの櫛刃は該回転体覆板から突出している、ことを特徴とする請求項１ないし請求項９のいずれかに記載の草引き抜き装置。
【請求項１１】
前記櫛刃ユニット回転体の前方には前記第１の櫛体および前記第２の櫛体の離間した櫛刃間に挿入される櫛状の掻き落し板が設置されるとともに、掻き落し板には引き抜いた草が投入される草入れ器が連設されている、ことを特徴とする請求項１ないし請求項１０のいずれかに記載の草引き抜き装置。
【請求項１２】
前記回転板の回転軸を軸支する軸支体には使用者が把持するハンドルが連設され、前記回転手段は車輪である、ことを特徴とする請求項５ないし請求項１１のいずれかに記載の草引き抜き装置。
【発明の詳細な説明】
【技術分野】
【０００１】
本願発明は、田畑や庭に生える雑草の引き抜き装置に関し、特に、除草機や作物収穫機等の機械の要素としても使用できる装置に関する。
【背景技術】
【０００２】
田畑や庭に生えている雑草を抜き取る除草機については、例えば、特開平６−０４６６０４号公報、特開平６−２６９２０１号公報や実公平６−０４４３９０号公報に開示されている。
【０００３】
特開平６−０４６６０４号公報に開示の「草抜き器」は、「草を根と共に効率良く引き抜き、爪の長寿命化を図る」ことを目的としていて、この目的を達成するために「複数の爪を間隔をあけて駆動軸に並設する。スライドキーにより隣合う爪同士を周期的に夫々開閉させる。閉じられた状態にある爪を引き抜く方向に駆動させる。周期的に開閉する爪間に草を挟み込み、閉じた状態にある爪がしばし回転することにより、小さな背の低い雑草であっても根から効率良く引き抜くことができる」構成としている。また、特開平６−２６９２０１号公報に開示の「芝生の中の除草機」は、「芝生の中に生じた雑草を、芝を傷めること無くそれだけを根から引抜き除草できる除草機を開発する」ことを目的としていて、この目的を達成するために「長方形に囲む機枠の一方を上方に立ち上げて把手部とし、機枠の前方と後方にそれぞれ遊動前輪と方向自在の遊動後輪とを備え、その中間位置に原動機からの動力により駆動する左右二枚の回転刃を備えている。この回転刃は、みぞ車に取り付けられた回転板、回転板支持腕に保持され、軸に固定されている回転刃開閉部材、回転刃支持部材間に挟持されてしゅう動回転する。該左右二枚の回転刃は、回転刃開閉部材によって、回転にしたがって角度を変えて開いたり閉じたりする作用をなし、それを土中に沈めることにより芝生の中の雑草だけを除草する」構成としている。そして、実公平６−０４４３９０号公報に開示の「除草機」は、「芝生内に植生している雑草を、機械的手段で、芝生と選別して拾い上げるように除去していくのが、効率的に行なえるようになる新たな手段を提供する」ことを目的としていて、この目的を達成するために「走行輪により走行する機体に、横軸により回転する回転体を横架軸支し、それの周面に、多数の歯杆が芝生の葉を透過させる間隔で並列する櫛状体を、回転体の周面に対し該回転体の回転方向前方に傾斜させて装設し、それの櫛状体の並列する歯杆が回転体の回転により芝生の葉を梳きながら植生している雑草を抜き上げていくように装設した」構成としている。
【０００４】
ところで、特開平６−０４６６０４号公報に開示の「草抜き器」はハンディータイプの除草機であり、動力を電池で稼働するモーターとしている。また、特開平６−２６９２０１号公報に開示の「芝生の中の除草機」はトラクター等で牽引して使用し、実公平６−０４４３９０号公報に開示の「除草機」はエンジンを動力としているように業務に使用されることを目的とした機械である。
【０００５】
しかしながら、特開平６−０４６６０４号公報に開示の「草抜き器」は、腰を屈めて草抜き作業をする必要があり、腰に負担を掛ける。また、特開平６−２６９２０１号公報に開示の「芝生の中の除草機」や実公平６−０４４３９０号公報に開示の「除草機」は機械内部の構造が複雑であり、メンテナンスが容易ではなく、家庭や田畑で使用するには大袈裟すぎて不向きである。
【０００６】
そのため出願人は、田畑や庭に生える雑草を根と共に効率良く引き抜くことができ、機構が簡単で家庭でも手軽に使用することができる除草機を開発すべく鋭意研究を進めていて、その成果の一端が特開２００６−１２９８５４号公報および特開２００８−０８６３０１号公報に開示されている。特開２００６−１２９８５４号公報に開示の「除草機」は、「芝の中にまぎれている雑草を上下運動をするクリップで雑草を引き抜き除草、刈り取る除草機を提供する」ことを目的とし、その構成を「上下運動をするクリップの開閉運動により雑草等を引き抜き除草刈り込みができ、クリップの構造機能を変えることにより仕事の多様化もはかれるよう」にしたものであり、特開２００８−０８６３０１号公報に開示の「除草機」は、「芝等の中にまぎれている雑草を回転ドラムに装着したクリップで雑草を引き抜き除草、刈り取る除草機を提供する」ことを目的とし、その構成を「回転ドラムに装着してあるクリップの開閉運動により雑草等を引き抜き除草刈り込みができ、クリップの構造機能を変えることにより仕事の多様化もはかれるよう」にしたものである。
【先行技術文献】
【特許文献】
【０００７】
【特許文献１】特開平６−０４６６０４号公報
【特許文献２】特開平６−２６９２０１号公報
【特許文献３】実公平６−０４４３９０号公報
【特許文献４】特開２００６−１２９８５４号公報
【特許文献５】特開２００８−０８６３０１号公報
【発明の開示】
【発明が解決しようとする課題】
【０００８】
しかしながら、特開２００６−１２９８５４号公報および特開２００８−０８６３０１号公報に開示の「除草機」は研究途中であって、実施可能な段階のものではなく、出願人はその後、さらに研究を続け、雑草の引き抜き装置を完成した。
【０００９】
すなわち、本願発明は、田畑や庭に生える雑草を根と共に効率良く引き抜くことができ、構造が簡単で家庭でも手軽に使用することができ、さらに、除草機や作物収穫機等の装置の一部としても使用できる装置を提供することを課題とする。
【課題を解決するための手段】
【００１０】
上記課題を達成するために、本願請求項１に係る草引き抜き装置は、連結棒に複数枚の櫛刃が櫛状に並設された第１の櫛体と同一構成された第２の櫛体とが重置されて１つの櫛刃ユニットが形成され、複数の前記櫛刃ユニットの両端が一対の回転板の回転中心の同一同心円上に固着されて櫛刃ユニット回転体が形成され、前記第１の櫛体および／または前記第２の櫛体の連結棒が長手方向に付勢されてその一端が前記回転板から突出して突出片が形成され、前記櫛刃ユニット回転体の回転に伴って前記回転板の外側に位置するガイド板により前記突出片が押圧されて付勢方向と反対方向に摺動し、前記第１の櫛体と第２の櫛体とに並設された前記櫛刃同士が互いに当接または接近して生えている草を挟持し、前記回転板のさらなる回転に伴って挟持した草が引き抜かれる、ことを特徴としている。
また、本願請求項２に係る草引き抜き装置は、請求項１に記載の草引き抜き装置であって、前記突出片が当接する前記ガイド板の面は凹凸状に形成され、前記櫛刃ユニット回転体の回転に伴って前記第１の櫛体および前記第２の櫛体の櫛刃同士は略最下位置で当接または最接近し、略最上位置で離間開始する、ことを特徴としている。
なお、「最下位置」とは、本願発明に係る草引き抜き装置を地面に置いて使用したときに、地面に最も接近する位置を言い、「最上位置」とは、最下位置から１８０°回転した位置を言う。
そして、本願請求項３に係る草引き抜き装置は、請求項１または請求項２に記載の草引き抜き装置であり、前記第１の櫛体および前記第２の櫛体はいずれも可動刃であってそれぞれ長手反対方向に付勢されて前記突出片が一対の前記回転板の反対方向にそれぞれ突出している、ことを特徴としている。
さらに、本願請求項４に係る草引き抜き装置は、請求項１または請求項２に記載の草引き抜き装置であって、前記第１の櫛体および前記第２の櫛体のいずれか一方は固定刃である、ことを特徴としている。
また、本願請求項５に係る草引き抜き装置は、請求項１ないし請求項４のいずれかに記載の草引き抜き装置であって、前記回転板の回転軸は前記ガイド板を遊貫し、該ガイド板の外側で回転手段に連結している、ことを特徴としている。
なお、回転手段には、例えば、押進あるいは牽引されることにより回転する車輪や履帯、電気やエンジンで稼働するモーターがある。
そして、本願請求項６に係る草引き抜き装置は、請求項１ないし請求項５のいずれかに記載の草引き抜き装置であって、前記第１の櫛体および前記第２の櫛体の櫛刃は前記櫛刃ユニット回転体の回転中心から放射方向に延伸し、さらにその先端は放射方向に対して直交方向に曲折し、曲折部分の櫛刃同士が互いに当接または接近する、ことを特徴としている。
さらに、本願請求項７に係る草引き抜き装置は、請求項１ないし請求項６のいずれかに記載の草引き抜き装置であって、前記ガイド板は前記回転板方向にスライド可能であるとともに該回転板の回転方向にスライド可能であって、該回転板方向のスライドにより該ガイド板の前記突出片に対する押圧力の調整が可能であり、該回転板の回転方向のスライドにより前記第１の櫛体および前記第２の櫛体の櫛刃同士の当接または最接近位置、および離間開始位置の調整が可能である、ことを特徴としている。
また、本願請求項８に係る草引き抜き装置は、請求項１ないし請求項７のいずれかに記載の草引き抜き装置であり、前記櫛刃ユニットは前記回転板の回転中心方向にスライド可能であって、スライドにより地面に対する該櫛刃ユニットの櫛刃の離間距離の調整が可能である、ことを特徴としている。
そして、本願請求項９に係る草引き抜き装置は、請求項１ないし請求項８のいずれかに記載の草引き抜き装置であって、前記第１の櫛体および前記第２の櫛体の櫛刃の当接または接近部分には凹凸模様の滑り止めが刻設され、または滑り止め板が添設されている、ことを特徴としている。
さらに、本願請求項１０に係る草引き抜き装置は、請求項１ないし請求項９のいずれかに記載の草引き抜き装置であって、一対の前記回転板の周縁には回転方向前方に沿って片刃を有する帯板状の回転体覆板が架設され、前記櫛刃ユニットの櫛刃は該回転体覆板から突出している、ことを特徴としている。
また、本願請求項１１に係る草引き抜き装置は、請求項１ないし請求項１０のいずれかに記載の草引き抜き装置であって、前記櫛刃ユニット回転体の前方には前記第１の櫛体および前記第２の櫛体の離間した櫛刃間に挿入される櫛状の掻き落し板が設置されるとともに、掻き落し板には引き抜いた草が投入される草入れ器が連設されている、ことを特徴としている。
なお、「櫛刃ユニット回転体の前方」とは、本願発明に係る草引き抜き装置を、草を引き抜くために使用するときの進行方向を言う。
さらに、本願請求項１２に係る草引き抜き装置は、請求項５ないし請求項１１のいずれかに記載の草引き抜き装置であって、前記回転板の回転軸を軸支する軸支体には使用者が把持するハンドルが連設され、前記回転手段は車輪である、ことを特徴としている。
【発明の効果】
【００１１】
本願発明は上記の構成により以下の効果を奏する。
（１）本願発明は複数の櫛刃ユニットと一対の回転板で構成された櫛刃ユニット回転体と、櫛刃ユニットの突出片を押圧するガイド板と、櫛刃ユニット回転体を回転させる回転手段と、から構成されていて、櫛刃ユニット回転体の回転に伴って、櫛刃同士が互いに接近または当接して草を挟持し引き抜くようになっているため、回転手段以外に動力を必要とせず、その構成や構造は極めて簡単であって、メンテナンスも容易であるから、家庭でも手軽に使用することができる。
（２）第１の櫛体および第２の櫛体の櫛刃の先端を放射方向に対して直交方向に曲折させ、曲折部分の櫛刃同士が互いに当接または接近させるようにし、さらに、曲折部分には凹凸模様の滑り止めを刻設し、または滑り止め板を添設させた場合には、雑草を根と共に効率良く引き抜くことができる。
（３）ガイド板を回転板方向にスライド可能とし、回転板の回転方向にスライド可能とした場合や、櫛刃ユニットを回転板の回転中心方向にスライド可能とした場合には、雑草の種類や生え方に対応した最適の状態で引き抜くことができる。
（４）櫛刃ユニット回転体に片刃を有する回転体覆板を架設した場合には、引き抜いた草が櫛刃ユニット回転体に絡みつくことがなく、草を引き抜くと同時に草を刈り取ることができる。
（５）櫛刃ユニット回転体の前方に掻き落し板と草入れ器を設置した場合には、引き抜かれた草は草入れ器に自動的に投入されるから、引き抜かれた草の後始末が容易になる。
（６）ガイド板にハンドルを連設し、回転手段を車輪とした場合には、本願発明自体を草引き抜き器として使用することができるばかりでなく、車輪を回転手段としているので、動力としての電力やエンジンが不要となる。
【図面の簡単な説明】
【００１２】
【図１】実施例１に係る草引き抜き装置を使用した草引き抜き器の正面図である。
【図２】実施例１に係る草引き抜き装置を使用した草引き抜き器の側面図である。
【図３】実施例１に係る図１のIII−III矢視断面図である。
【図４】実施例２に係る図１のIV−IV矢視断面図である。
【図５】実施例１および実施例２に係る草引き抜き装置の櫛刃ユニット回転体の構成図であり、（ａ）は正面図、（ｂ）はＶ−Ｖ矢視断面図である。
【図６】掻き落し板の平面図である。
【発明を実施するための形態】
【００１３】
本発明を実施するための形態に係る実施例１および実施例２について、図１ないし図６を参照して説明する。
【００１４】
図１ないし図６において、符号１は実施例１に係る草引き抜き装置、符号３は実施例２に係る草引き抜き装置、符号１０は櫛刃ユニット回転体、符号１１は櫛刃ユニット、符号１３ａは第１の櫛体、符号１３ｂは第２の櫛体、符号１５は連結棒、符号１７は櫛刃、符号１９は滑り止め、符号２１は突出片、符号２３はバネ、符号２５は嵌合溝、符号２７は連結棒カバー、符号３１は回転板、符号３３はガイド板、符号３５は回転軸、符号３７は軸支体、符号３９は掻き落し板、符号３９１は掻き落し板本体、符号３９３は掻き落し片、符号４１は草入れ器、符号４３はハンドル、符号４５は車輪、符号４７は回転体覆板、符号５０は地面、である。
なお、図１では掻き落し板３９および草入れ器４１を一点鎖線で示し、図２では車輪４５を一点鎖線で示している。
【実施例１】
【００１５】
まず、実施例１に係る草引き抜き装置１について、図１ないし図３、図５および図６を参照して説明する。
草引き抜き装置１は、主に、円筒状の櫛刃ユニット回転体１０と、櫛刃ユニット回転体１０と中心軸を同一として両外側に位置する一対のガイド板３３と、外側に位置する一対の軸支体３７と、さらにその外側に位置する一対の車輪４５と、軸支体３７に固着されるハンドル４３と、櫛刃ユニット回転体１０の前面に設置される掻き落し板３９および草入れ器４１と、から構成されている。
【００１６】
櫛刃ユニット回転体１０は一対の回転板３１、３１と、側面から見て回転板３１の中心を中心とする同一円上に回転板３１、３１間に略等間隔に架け渡される複数の櫛刃ユニット１１、１１、・・・と、から構成されている。
【００１７】
櫛刃ユニット１１は、第１の櫛体１３ａと、第２の櫛体１３ｂと、重置された第１の櫛体１３ａおよび第２の櫛体１３ｂのそれぞれの連結棒１５、１５を囲繞する連結棒カバー２７と、から構成されている。第１の櫛体１３ａは、断面が矩形の連結棒１５に複数枚の櫛刃１７、１７、・・・が櫛状に並設され、櫛刃１７は連結棒１５の長手方向に対し直交する方向に延伸していて、その先はさらに延伸方向に対し直交する方向に延伸している。また、第２の櫛体１３ｂは第１の櫛体１３ａと同一に構成されていて、第２の櫛体１３ｂと第１の櫛体１３ａの櫛刃１７の先端部は側面から見ると互いに重なり合うようになっている。そして、第１の櫛体１３ａと第２の櫛体１３ｂとは、櫛刃１７に刻設された嵌合溝２５を介して摺動自在に連結棒カバー２７に嵌合している。
【００１８】
櫛刃ユニット１１を構成する第１の櫛体１３ａと第２の櫛体１３ｂの一端はバネ２３により互いに反対方向に付勢され、それぞれの他端は連結棒カバー２７および回転板３１から突出して突出片２１が形成されている。そして、それぞれの突出片２１を押圧することにより、第１の櫛体１３ａと第２の櫛体１３ｂの櫛刃１７、１７同士が互いに接近し、あるいは、櫛刃１７、１７の先端部分が当接するようになっている。なお、櫛刃１７、１７が互いに接近し、あるいは当接する先端部分には、滑り止め１９が形成されている。この滑り止め１９は、櫛刃１７自体に凹凸模様を刻設しても良く、あるいは、ゴム板のような摩擦係数の大きい滑り止め板を添設しても良い。
なお、実施例では、第１の櫛体１３ａおよび第２の櫛体１３ｂとも、図５における左右方向に摺動する可動刃となっているが、第１の櫛体１３ａまたは第２の櫛体１３ｂのいずれか一方を左右方向に摺動しない固定刃としても良い。
【００１９】
また、それぞれの櫛刃ユニット１１は、回転板３１に対して着脱可能に固着されているとともに回転板３１の回転中心方向にスライドさせて固着することができるようになっている。
【００２０】
円筒状の櫛刃ユニット回転体１０の両端には、その回転軸に沿って順に円盤状のガイド板３３、軸支体３７および車輪４５が連設されている。
【００２１】
ガイド板３３は櫛刃ユニット回転体１０が回転しても回転しないように構成されていて、櫛刃ユニット回転体１０の回転に伴い、回転板３１から突出する突出片２１がガイド板３３の表面を当接しながらなぞるように移動する。そして、突出片２１が当接するガイド板３３の表面は凹凸状に波打っていて、「凹」の部分では突出片２１に対する押圧力が弱まって第１の櫛体１３ａと第２の櫛体１３ｂの櫛刃１７、１７同士が互いに離間し、「凸」の部分では突出片２１に対する押圧力が強くなって第１の櫛体１３ａと第２の櫛体１３ｂの櫛刃１７、１７同士が互いに接近し、あるいは、当接するようになっている。なお、ガイド板３３の表面の凹凸状は、ガイド板３３自体の厚みを変えるようにしても良く、ガイド板３３を凹凸状に曲げるように加工しても良い。
【００２２】
ガイド板３３の外側に位置する軸支体３５は、車輪４５と櫛刃ユニット回転体１０とを連結する回転軸３９を回動自在に軸支していて、この軸支体３５により車輪４５の回転がそのまま櫛刃ユニット回転体１０に伝わるようになっている。また、ガイド板３３は軸支体３５に支持されていて、ガイド板３３は軸支体３５に対して回転板３１方向にスライド可能であるとともに、ガイド板３３は所定の角度で回動可能、すなわちスライド可能となっている。
【００２３】
そして、軸支体３５にはハンドル４３が回転軸３５に直交する方向に固着され、櫛刃ユニット回転体１０の前方には回転軸３５に平行方向に位置するように草入れ器４１が軸支体３５から支持されている。
【００２４】
ハンドル４３は中空の丸棒であって、軸支体３５から斜め上方、かつ、櫛刃ユニット回転体１０の後方に延伸し、その先端は互いに連結していて、使用者の把持部（図示外）を形成している。
【００２５】
また、草入れ器４１は、上部が開放された容器であって、草入れ器４１の櫛刃ユニット回転体１０側の上辺には櫛刃ユニット回転体１０に向けて板状の掻き落し板３９が固着されている。この掻き落し板３９は、図６に示すように、掻き落し板本体３９１と、複数の掻き落し片３９３、３９３、・・・とから構成されていて、掻き落し片３９３は、第１の櫛体１３ａおよび第２の櫛体１３ｂの離間した櫛刃１７、１７間に挿入されるようになっている。
【００２６】
次に、草引き抜き装置１の作用について説明する。
草引き抜き装置１は、図２および図３の矢印方向に移動させることにより草を引き抜くことができるように構成されているため、使用に際しては、使用者はハンドル４３の把持部（図示外）を把持し押進して使用することになる。
【００２７】
草引き抜き装置１が矢印方向に前進すると、車輪４５が回転し、この回転は回転軸３５を介して直接的に櫛刃ユニット回転体１０に伝えられ、櫛刃ユニット回転体１０が回転する。櫛刃ユニット回転体１０の回転により、櫛刃ユニット１１を構成する第１の櫛体１３ａと第２の櫛体１３ｂの櫛刃１７、１７同士は互いに接近し、あるいは、当接し、そして、離間する状態を繰り返す。これを図２および図３で具体的に説明すると、矢印方向（左方向）に草引き抜き装置１が移動すると、車輪４５が反時計回りに回転（左回転）し、櫛刃１７が地面５０に最接近する「６時」の位置で、櫛刃１７、１７同士が最接近、あるいは当接し、「１２時」の位置で離間を開始し、掻き落し片３９３が櫛状に突出している「９時」の位置で最離間する。
これにより、櫛刃１７、１７は「６時」の位置で草を挟持して、「６時」から「４時」の位置にかけて草を引き抜き、挟持し、「１２時」の位置から挟持状態が解消され、「９時」の位置で掻き落し片３９３との相乗作用で引き抜いた草を解き放つ。この解き放された草は、掻き落し板本体３９１を伝って、草入れ器４１に投入される。
【００２８】
前述したように、それぞれの櫛刃ユニット１１は、回転板３１に対してその回転中心方向にスライドさせて固着することができるようになっているため、「６時」の位置における櫛刃１７と地面５０との離間距離を調整することができ、また、ガイド板３３の回転板３１方向に対するスライドにより、ガイド板３３の櫛刃ユニット１１の突出片２１に対する押圧力を調整することにより、草の種類に適した挟持力とすることができ、さらに、ガイド板３３を回動させて、櫛刃１７が地面５０に最接近する位置（「６時」の位置）を調整することができる。
【実施例２】
【００２９】
次に、実施例２に係る草引き抜き装置３について、説明するが、草引き抜き装置３は草引き抜き装置１とその構成や作用が殆ど同じであり、異なるところは、草引き抜き装置１の櫛刃ユニット回転体１０に構成要素を付加しただけであるため、ここでは付加した構成要素とその作用効果について説明する。
【００３０】
図４に示すように、草引き抜き装置３の櫛刃ユニット回転体１０には、一対の回転板３１、３１の周縁に帯板状、すなわち平面から見た形状が矩形の回転体覆板４７が架設されていて、櫛刃ユニット１１の櫛刃１７の先端部は回転体覆板４７から突出したようになっている。そして、櫛刃ユニット回転体１０の回転軸に沿って、回転体覆板４７の回転方向前方には刃が形成されている。
【００３１】
草引き抜き装置３の櫛刃ユニット回転体１０は、上記構成により、車輪４５の回転に伴って、櫛刃１７、１７により草を挟持し、草を引き抜き、引き抜いた草を草入れ器４１に投入するとともに、櫛刃１７が地面５０に最接近する「６時」の位置で、回転体覆板４７により生えている草を切断することができる。また、切断した草や引き抜かれた草が回転体覆板４７により櫛刃ユニット回転体１０に絡みつくことがない。
【００３２】
なお、実施例では、本願発明に係る草引き抜き装置自体を草引き抜き器として使用することとしているが、除草機の機械の一部として牽引して使用することができ、作物収穫機の機械の一部としても使用することができることは勿論である。また、櫛刃ユニット回転体１０に回転を付与する回転手段としては、実施例のように人力で押進させたり、機械で牽引させたりして、車輪を介して回転軸３５に回転を付与する手段や、電動モーターやエンジン等による動力により回転軸３５に回転を付与する手段が考えられる。
【符号の説明】
【００３３】
１  実施例１に係る草引き抜き装置
３  実施例２に係る草引き抜き装置
１０  櫛刃ユニット回転体
１１  櫛刃ユニット
１３ａ  第１の櫛体
１３ｂ  第２の櫛体
１５  連結棒
１７  櫛刃
１９  滑り止め
２１  突出片
３１  回転板
３３  ガイド板
３５  回転軸
３７  軸支体
３９  掻き落し板
４１  草入れ器
４３  ハンドル
４５  車輪
４７  回転体覆板
【図１】
2011050275.tif 000003
【図２】
2011050275.tif 000004
【図３】
2011050275.tif 000005
【図４】
2011050275.tif 000006
【図５】
2011050275.tif 000007
【図６】
2011050275.tif 000008
【手続補正書】
【提出日】平成22年3月22日(2010.3.22)
【手続補正１】
【補正対象書類名】特許請求の範囲
【補正対象項目名】全文
【補正方法】変更
【補正の内容】
【特許請求の範囲】
【請求項１】
連結棒に複数枚の櫛刃が櫛状に並設された第１の櫛体と同一構成された第２の櫛体とが重置されて１つの櫛刃ユニットが形成され、
複数の前記櫛刃ユニットの両端が一対の回転板の回転中心の同一同心円上に固着されて櫛刃ユニット回転体が形成され、
前記第１の櫛体および／または前記第２の櫛体の連結棒が長手方向に付勢されてその一端が前記回転板から突出して突出片が形成され、
前記櫛刃ユニット回転体の回転に伴って前記回転板の外側に位置するガイド板により前記突出片が押圧されて付勢方向と反対方向に摺動し、前記第１の櫛体と第２の櫛体とに並設された前記櫛刃同士が互いに当接または接近して生えている草を挟持し、
前記回転板のさらなる回転に伴って挟持した草が引き抜かれ、
前記突出片が当接する前記ガイド板の面は凹凸状に形成され、前記櫛刃ユニット回転体の回転に伴って前記第１の櫛体および前記第２の櫛体の櫛刃同士は略最下位置で当接または最接近し、略最上位置で離間開始する、ことを特徴とする草引き抜き装置。
【請求項２】
前記第１の櫛体および前記第２の櫛体はいずれも可動刃であってそれぞれ長手反対方向に付勢されて前記突出片が一対の前記回転板の反対方向にそれぞれ突出している、ことを特徴とする請求項１に記載の草引き抜き装置。
【請求項３】
前記第１の櫛体および前記第２の櫛体のいずれか一方は固定刃である、ことを特徴とする請求項１に記載の草引き抜き装置。
【請求項４】
前記回転板の回転軸は前記ガイド板を遊貫し、該ガイド板の外側で回転手段に連結している、ことを特徴とする請求項１ないし請求項３のいずれかに記載の草引き抜き装置。
【請求項５】
前記第１の櫛体および前記第２の櫛体の櫛刃は前記櫛刃ユニット回転体の回転中心から放射方向に延伸し、さらにその先端は放射方向に対して直交方向に曲折し、曲折部分の櫛刃同士が互いに当接または接近する、ことを特徴とする請求項１ないし請求項４のいずれかに記載の草引き抜き装置。
【請求項６】
前記ガイド板は前記回転板方向にスライド可能であるとともに該回転板の回転方向にスライド可能であって、
該回転板方向のスライドにより該ガイド板の前記突出片に対する押圧力の調整が可能であり、
該回転板の回転方向のスライドにより前記第１の櫛体および前記第２の櫛体の櫛刃同士の当接または最接近位置、および離間開始位置の調整が可能である、ことを特徴とする請求項１ないし請求項５のいずれかに記載の草引き抜き装置。
【請求項７】
前記櫛刃ユニットは前記回転板の回転中心方向にスライド可能であって、スライドにより地面に対する該櫛刃ユニットの櫛刃の離間距離の調整が可能である、ことを特徴とする請求項１ないし請求項６のいずれかに記載の草引き抜き装置。
【請求項８】
前記第１の櫛体および前記第２の櫛体の櫛刃の当接または接近部分には凹凸模様の滑り止めが刻設され、または滑り止め板が添設されている、ことを特徴とする請求項１ないし請求項７のいずれかに記載の草引き抜き装置。
【請求項９】
一対の前記回転板の周縁には回転方向前方に沿って片刃を有する帯板状の回転体覆板が架設され、前記櫛刃ユニットの櫛刃は該回転体覆板から突出している、ことを特徴とする請求項１ないし請求項８のいずれかに記載の草引き抜き装置。
【請求項１０】
前記櫛刃ユニット回転体の前方には前記第１の櫛体および前記第２の櫛体の離間した櫛刃間に挿入される櫛状の掻き落し板が設置されるとともに、掻き落し板には引き抜いた草が投入される草入れ器が連設されている、ことを特徴とする請求項１ないし請求項９のいずれかに記載の草引き抜き装置。
【請求項１１】
前記回転板の回転軸を軸支する軸支体には使用者が把持するハンドルが連設され、前記回転手段は車輪である、ことを特徴とする請求項４ないし請求項１０のいずれかに記載の草引き抜き装置。
【手続補正２】
【補正対象書類名】明細書
【補正対象項目名】００１０
【補正方法】変更
【補正の内容】
【００１０】
上記課題を達成するために、本願請求項１に係る草引き抜き装置は、連結棒に複数枚の櫛刃が櫛状に並設された第１の櫛体と同一構成された第２の櫛体とが重置されて１つの櫛刃ユニットが形成され、複数の前記櫛刃ユニットの両端が一対の回転板の回転中心の同一同心円上に固着されて櫛刃ユニット回転体が形成され、前記第１の櫛体および／または前記第２の櫛体の連結棒が長手方向に付勢されてその一端が前記回転板から突出して突出片が形成され、前記櫛刃ユニット回転体の回転に伴って前記回転板の外側に位置するガイド板により前記突出片が押圧されて付勢方向と反対方向に摺動し、前記第１の櫛体と第２の櫛体とに並設された前記櫛刃同士が互いに当接または接近して生えている草を挟持し、前記回転板のさらなる回転に伴って挟持した草が引き抜かれ、前記突出片が当接する前記ガイド板の面は凹凸状に形成され、前記櫛刃ユニット回転体の回転に伴って前記第１の櫛体および前記第２の櫛体の櫛刃同士は略最下位置で当接または最接近し、略最上位置で離間開始する、ことを特徴としている。
なお、「最下位置」とは、本願発明に係る草引き抜き装置を地面に置いて使用したときに、地面に最も接近する位置を言い、「最上位置」とは、最下位置から１８０°回転した位置を言う。
また、本願請求項２に係る草引き抜き装置は、請求項１に記載の草引き抜き装置であり、前記第１の櫛体および前記第２の櫛体はいずれも可動刃であってそれぞれ長手反対方向に付勢されて前記突出片が一対の前記回転板の反対方向にそれぞれ突出している、ことを特徴としている。
そして、本願請求項３に係る草引き抜き装置は、請求項１に記載の草引き抜き装置であって、前記第１の櫛体および前記第２の櫛体のいずれか一方は固定刃である、ことを特徴としている。
さらに、本願請求項４に係る草引き抜き装置は、請求項１ないし請求項３のいずれかに記載の草引き抜き装置であって、前記回転板の回転軸は前記ガイド板を遊貫し、該ガイド板の外側で回転手段に連結している、ことを特徴としている。
なお、回転手段には、例えば、押進あるいは牽引されることにより回転する車輪や履帯、電気やエンジンで稼働するモーターがある。
また、本願請求項５に係る草引き抜き装置は、請求項１ないし請求項４のいずれかに記載の草引き抜き装置であって、前記第１の櫛体および前記第２の櫛体の櫛刃は前記櫛刃ユニット回転体の回転中心から放射方向に延伸し、さらにその先端は放射方向に対して直交方向に曲折し、曲折部分の櫛刃同士が互いに当接または接近する、ことを特徴としている。
そして、本願請求項６に係る草引き抜き装置は、請求項１ないし請求項５のいずれかに記載の草引き抜き装置であって、前記ガイド板は前記回転板方向にスライド可能であるとともに該回転板の回転方向にスライド可能であって、該回転板方向のスライドにより該ガイド板の前記突出片に対する押圧力の調整が可能であり、該回転板の回転方向のスライドにより前記第１の櫛体および前記第２の櫛体の櫛刃同士の当接または最接近位置、および離間開始位置の調整が可能である、ことを特徴としている。
さらに、本願請求項７に係る草引き抜き装置は、請求項１ないし請求項６のいずれかに記載の草引き抜き装置であり、前記櫛刃ユニットは前記回転板の回転中心方向にスライド可能であって、スライドにより地面に対する該櫛刃ユニットの櫛刃の離間距離の調整が可能である、ことを特徴としている。
また、本願請求項８に係る草引き抜き装置は、請求項１ないし請求項７のいずれかに記載の草引き抜き装置であって、前記第１の櫛体および前記第２の櫛体の櫛刃の当接または接近部分には凹凸模様の滑り止めが刻設され、または滑り止め板が添設されている、ことを特徴としている。
そして、本願請求項９に係る草引き抜き装置は、請求項１ないし請求項８のいずれかに記載の草引き抜き装置であって、一対の前記回転板の周縁には回転方向前方に沿って片刃を有する帯板状の回転体覆板が架設され、前記櫛刃ユニットの櫛刃は該回転体覆板から突出している、ことを特徴としている。
さらに、本願請求項１０に係る草引き抜き装置は、請求項１ないし請求項９のいずれかに記載の草引き抜き装置であって、前記櫛刃ユニット回転体の前方には前記第１の櫛体および前記第２の櫛体の離間した櫛刃間に挿入される櫛状の掻き落し板が設置されるとともに、掻き落し板には引き抜いた草が投入される草入れ器が連設されている、ことを特徴としている。
なお、「櫛刃ユニット回転体の前方」とは、本願発明に係る草引き抜き装置を、草を引き抜くために使用するときの進行方向を言う。
また、本願請求項１１に係る草引き抜き装置は、請求項４ないし請求項１０のいずれかに記載の草引き抜き装置であって、前記回転板の回転軸を軸支する軸支体には使用者が把持するハンドルが連設され、前記回転手段は車輪である、ことを特徴としている。
【手続補正３】
【補正対象書類名】明細書
【補正対象項目名】００２２
【補正方法】変更
【補正の内容】
【００２２】
ガイド板３３の外側に位置する軸支体３７は、車輪４５と櫛刃ユニット回転体１０とを連結する回転軸３５を回動自在に軸支していて、この軸支体３７により車輪４５の回転がそのまま櫛刃ユニット回転体１０に伝わるようになっている。また、ガイド板３３は軸支体３７に支持されていて、ガイド板３３は軸支体３７に対して回転板３１方向にスライド可能であるとともに、ガイド板３３は所定の角度で回動可能、すなわちスライド可能となっている。
【手続補正４】
【補正対象書類名】明細書
【補正対象項目名】００２３
【補正方法】変更
【補正の内容】
【００２３】
そして、軸支体３７にはハンドル４３が回転軸３５に直交する方向に固着され、櫛刃ユニット回転体１０の前方には回転軸３５に平行方向に位置するように草入れ器４１が軸支体３７から支持されている。
【手続補正５】
【補正対象書類名】明細書
【補正対象項目名】００２４
【補正方法】変更
【補正の内容】
【００２４】
ハンドル４３は中空の丸棒であって、軸支体３７から斜め上方、かつ、櫛刃ユニット回転体１０の後方に延伸し、その先端は互いに連結していて、使用者の把持部（図示外）を形成している。